(57)【要約】      （修正有）【課題】搬送物のこぼれ落ちや吹き出しを抑制して周辺設備の環境を改善し、搬送物のロスを軽減する乗継ぎシュートを提供する。【解決手段】ベルトコンベア１のベルト上面に向けて極僅かな隙間を隔てて開放する開放部２ａを有し、開放部２ａを搬送物の落下口とするシュート本体２ｂと、ベルトコンベア１のベルト上面からシュート本体２ｂの少なくとも開放部２ａに至るまでの間に配置され、ベルトコンベア１の進行方向に対応する側を除いてシュート本体２ｂを取り囲むスカート２ｃとを備え、シュート本体２ｂの下端側部にベルトコンベア１の進行方向に向けて開口するとともに、ベルトコンベア２のベルト上面に落下させた搬送物を払い出す排出口３を設け、ベルトコンベア１のベルト上面に排出口３を挟み込み、かつシュート本体２ｂの排出口３より払い出された搬送物をベルトコンベア１のベルトの幅方向中央部に向けて誘導する一対の板状体４ａ、４ｂを設ける。【選択図】図１
2017043440.tif 000002
【特許請求の範囲】
【請求項１】
搬送物をベルトコンベアのベルト上面に落下させる乗継ぎシュートであって、
前記ベルトコンベアのベルト上面に向けて極僅かな隙間を隔てて開放する開放部を有し、その開放部を該搬送物の落下口とするシュート本体と、該ベルトコンベアのベルト上面から該シュート本体の少なくとも開放部に至るまでの間に配置され該ベルトコンベアの進行方向に対応する側を除いて該シュート本体を取り囲むスカートとを備え、
前記シュート本体の下端側部に、該ベルトコンベアの進行方向に向けて開口するとともに該ベルトコンベアのベルト上面に落下させた該搬送物を払い出す排出口を設け、
該ベルトコンベアのベルト上面に、該排出口を挟み込み、かつ、該シュート本体の排出口より払い出された搬送物を該ベルトコンベアのベルトの幅方向中央部に向けて誘導する一対の板状体を設けたことを特徴とする乗継ぎシュート。
【請求項２】
前記一対の板状体は、相互に接近、離隔する向きに移動可能な幅調整機構を有することを特徴とする請求項１に記載した乗継ぎシュート。
【請求項３】
前記一対の板状体は、前記ベルトコンベアのベルトに接近、離隔する向きに移動可能な隙間調整機構を有することを特徴とする請求項１または２に記載した乗継ぎシュート。
【請求項４】
前記スカートは、前記シュート本体の両サイドにそれぞれ位置する側壁と、該シュート本体の背面側で該側壁に一体連結する背面壁とからなり、
該側壁は、該側壁に吊下げ保持され、その下端が前記ベルトコンベアのベルトに接触可能なシール壁を有することを特徴とする請求項１〜３のいずれか１項に記載した乗継ぎシュート。
【発明の詳細な説明】
【技術分野】
【０００１】
本発明は、セメントや砂利、石炭、コークス、鉄鉱石、汚濁物、ダスト等の粒塊物を一時的に貯留するサイロあるいは槽等から該粒塊物（以下、これらの粒塊物を搬送物と記すこととする。）をベルトコンベアのベルト上面に払い出す際に用いて好適な乗継ぎシュートに関するものである。
【背景技術】
【０００２】
製鉄所の原料工場や焼結工場あるいは製銑工場等に設置されているサイロや槽等では、それに貯留された搬送物を、ベルトコンベアを使用して目的とする場所まで搬送するのが普通であり、搬送物の払い出しは、サイロや槽等の下部に設けられた乗継ぎシュートを介して行われている。
【０００３】
ところで上記の乗継ぎシュートは、サイロや槽等に貯留された搬送物をその自重によって落下させるものであり、搬送物の払い出しにおいては、搬送物の、ベルトコンベアからのこぼれ落ちや吹き出し、あるいは搬送物同士の衝突による粉塵の飛散が避けられない状況にある。
【０００４】
このため従来は、乗継ぎシュートとベルトコンベアとの間にスカートを設けて搬送物のこぼれ落ちや吹き出し等を回避するようにしており、この点に関する先行技術としては、例えば、上端部がシュート下端に取り付けられ、下端部がコンベアベルトに接触する可撓性のスカートにおいて、中間部にクッション部分を、下端部に低摩擦剛性部分をそれぞれ設けたスカート構造に係わる技術（特許文献１）が提案されている。
【０００５】
また、この他に、乗継ぎシュートの下部に、先端部を曲面としたセラミックス製のスカートライナーを取付けたベルトコンベア乗継ぎシュートに係わるもの（特許文献２）や、コンベアベルトの両側端部に吊設状に配置されるスカートプレートの各々の外側に、コンベアベルトの長手方向に所要間隔を隔てて一対のホィールを配設し、該一対のホィール間にゴム等の可撓性素材から成るスカート帯を懸設し、同スカート帯の下側部とコンベアベルト上面とが所要圧下に圧接された構造からなるベルトコンベア用スカート装置（特許文献３）等も知られている。
【先行技術文献】
【特許文献】
【０００６】
【特許文献１】特開昭６０−１９７５１５号公報
【特許文献２】特開昭６１−９０９１２号公報
【特許文献３】特開昭６３−１２３７０９号公報
【発明の概要】
【発明が解決しようとする課題】
【０００７】
しかしながら、とりわけ切出し調整機能をもたない乗継ぎシュートにあっては以下に述べるような不具合を有しており、その解決が求められていた。
【０００８】
すなわち、搬送物の落下時の衝撃力が大きい場合や搬送物の切出し量が多い場合に、スカート内に堆積している搬送物によって該スカートが押し広げられ、スカートとベルトコンベアとの間から搬送物が吹き出すとともにベルトコンベアのベルト端からこぼれ落ちてしまう。
【０００９】
また、スカート内に堆積している搬送物は該スカートによってその側面が押さえ付けられているが、スカートを通り抜けたのちにおいてはその押さえがなくなるために払い出された搬送物がベルトコンベアのベルト上面で拡がってしまい搬送物がベルト端からこぼれ落ちてしまう。
【００１０】
そして、このような搬送物の吹き出し、こぼれ落ちは、周辺設備に堆積して環境を悪化させるとともに搬送ロスを引き起こす原因になっていた。
【００１１】
本発明の課題は、搬送物の吹き出しによるこぼれ落ちやベルトコンベア上での広がりによるこぼれ落ち等を回避して周辺設備の環境の悪化を防止するとともに搬送ロスの軽減を図ることができる乗継ぎシュートを提案するところにある。
【課題を解決するための手段】
【００１２】
本発明は、搬送物をベルトコンベアのベルト上面に落下させる乗継ぎシュートであって、前記ベルトコンベアのベルト上面に向けて極僅かな隙間を隔てて開放する開放部を有し、その開放部を該搬送物の落下口とするシュート本体と、該ベルトコンベアのベルト上面から該シュート本体の少なくとも開放部に至るまでの間に配置され該ベルトコンベアの進行方向に対応する側を除いて該シュート本体を取り囲むスカートとを備え、前記シュート本体の下端側部に、該ベルトコンベアの進行方向に向けて開口するとともに該ベルトコンベアのベルト上面に落下させた該搬送物を払い出す排出口を設け、該ベルトコンベアのベルト上面に、該排出口を挟み込み、かつ、該シュート本体の排出口より払い出された搬送物を該ベルトコンベアのベルトの幅方向中央部に向けて誘導する一対の板状体を設けたことを特徴とする乗継ぎシュートである。
【００１３】
上記の構成からなる乗継ぎシュートにおいて、前記一対の板状体は、相互に接近、離隔する向きに移動可能な幅調整機構を有すること、また、前記一対の板状体は、前記ベルトコンベアのベルトに接近、離隔する向きに移動可能な隙間調整機構を有すること、さらに、前記スカートは、前記シュート本体の両サイドにそれぞれ位置する側壁と、該シュート本体の背面側で該側壁に一体連結する背面壁とからなり、該側壁は、該側壁に吊下げ保持され、その下端が前記ベルトコンベアのベルトに接触可能なシール壁を有すること、が課題解決のための具体的手段として好ましい。
【発明の効果】
【００１４】
本発明によれば、シュート本体を、ベルトコンベアのベルト上面に向けて極僅かな隙間を隔てて開放された開放部を有するもとのとし、その側壁に、該ベルトコンベアの進行方向に向けて開口するとともに該ベルトコンベアのベルト上面に落下させた該搬送物を払い出す排出口を設けるようにしたため、落下に係る搬送物は、該排出口を通してベルトコンベアのベルト上面に払い出されることとなり、スカートが搬送物によって押し広げられることはない。
【００１５】
また、本発明によれば、ベルトコンベアのベルト上面に、該排出口を挟み込み、かつ、該シュート本体の排出口より払い出された搬送物を該ベルトコンベアのベルトの幅方向中央部に向けて誘導する一対の板状体（シュート本体から離れるにしたがって相互間隔が狭くなるハの字配置としたもの）を設けたため、該板状体を通過したのちにおいては搬送物が荷崩れによりたとえベルトコンベアのベルト上面で広がったとしてもその側面からこぼれ落ちることがない。
【００１６】
また、本発明によれば、一対の板状体に、相互に接近、離隔する向きに移動可能な幅調整機構を設けるようにしたため、搬送物の種類やサイズの違いに応じた誘導が可能となる。
【００１７】
また、本発明によれば、一対の板状体に、ベルトコンベアのベルトに接近、離隔する向きに移動可能な隙間調整機構を設けるようにしたため、搬送物が板状体とベルトとの間において噛み込まれるのを回避することができる。
【００１８】
さらに本発明によれば、スカートを、シュート本体の両サイドにそれぞれ位置する側壁と、該シュート本体の背面側で該側壁に一体連結する背面壁とからなるもので構成し、該側壁に、該側壁に吊下げ保持され、その下端がベルトコンベアのベルトに接触可能なシール壁を設けるようにしたため、搬送物が水分を含む微粉状のものであっても、スカートからの吹き出しを確実に回避することができる。
【図面の簡単な説明】
【００１９】
【図１】本発明にしたがう乗継ぎシュートの実施の形態を模式的に示した外観斜視図である。
【図２】図１に示した乗継ぎシュートの平面を示した図である。
【図３】図１に示した乗継ぎシュートの断面を示した図である。
【図４】本発明にしたがう乗継ぎシュートの要部を示した図である。
【図５】本発明にしたがう乗継ぎシュートの他の実施の形態を示した図である。
【発明を実施するための形態】
【００２０】
以下、図面を参照して本発明をより具体的に説明する。
図１は、本発明にしたがう乗継ぎシュートの実施の形態を模式的に示した外観斜視図である。また、図２は図１に示した乗継ぎシュートの平面を示した図であり、図３は図１に示した乗継ぎシュートの断面を示した図である。
【００２１】
図１〜３における符号１は、搬送物を搬送するベルトコンベア、２はその上端部がサイロや槽等につながる乗継ぎシュートである（サイロ、槽等は図示せず）。
【００２２】
乗継ぎシュート２は、ベルトコンベア１のベルト上面に向けて極僅かな隙間ｅ（図３参照）を隔てて開放する開放部２ａを有し、その開放部２ａを搬送物の落下口とするシュート本体２ｂと、ベルトコンベア１のベルト上面からシュート本体２ｂの少なくとも開放部２ａに至るまでの間に配置され該ベルトコンベアの進行方向に対応する側（正面壁）を除いてシュート本体２ｂを取り囲むスカート２ｃとを備えている。
【００２３】
シュート本体２ｂは、ここでは、正面壁２ｂ１、背面壁２ｂ２とこれらの幅方向の端部で一体連結する側面壁２ｂ３、２ｂ４からなる逆四角錐台状のものを例として示したが、シュート本体２ｂの形状は種々変更可能であり、図示のものに限定されることはない。
【００２４】
また、スカート２ｃについては、シュート本体２ｂの両サイドにそれぞれ位置する側板２ｃ１、２ｃ２と、シュート本体２ｂの背面側で該側板２ｃ１、２ｃ２に一体連結する背板２ｃ３からなるもので構成し、これらを、フレームＦによって固定保持するものを適用することができる（図３参照）。スカート２ｃの形状、寸法、固定構造等は適宜変更可能であり、図示のものに限定なされない。
【００２５】
また、３は、ベルトコンベア１のベルト上面に落下させた搬送物を払い出す排出口である。この排出口３は、ベルトコンベア１の進行方向に向けて開口するものであって、シュート本体２ｂの下端壁部（正面壁２ｂ１）に形成されている。
【００２６】
排出口３は、下端部が切り欠かれた矩形状の切欠き開口としたものを適用するのが好ましく、その形状や開口サイズは、搬送物の種類や払出し量に応じて種々変更される。
【００２７】
また、４ａ、４ｂは、ベルトコンベア１のベルト上面に設けられた一対の板状体（長尺板）である。この板状体４ａ、４ｂは、排出口３を両側から挟み込み、かつ、排出口３より払い出された搬送物をベルトコンベア１のベルトの幅方向中央部に向けて誘導する機能を有するものであって、シュート本体２ｂから離れるにしたがって相互間隔が狭くなるハの字状配置になっている。
【００２８】
排出口３より払い出された搬送物が一対の板状体４ａ、４ｂに誘導されてベルトコンベア１のベルトの幅方向中央部に寄せられる結果、搬送物が該板状体４ａ、４ｂを通り過ぎたのちにおいてたとえベルト上面で広がることがあったとしてもベルト端にまで達することがなくなる。
【００２９】
板状体４ａ、４ｂは、ベルトコンベア１のベルト上面におかれた搬送物が安定した状態におかれるまでの長さ（安息角に保持されるまでの長さ）を有するものを用いるのが好ましく、また、該板状体４ａ、４ｂの高さついては、搬送物がベルト上面で崩れて広がってもベルト端に至ることがない寸法に設定される。
【００３０】
また、搬送物は、その種類や搬送物のサイズ等によって安息角が変化するため、板状体４ａ、４ｂには、それらを相互に近接、離隔する向きに移動させてその先端部の開放幅を変更し得る幅調整機構を設けておくのが好ましい。また、角度変更機構を設けたり、ベルトコンベアの進行方向に沿って移動可能な移動機構を設けることもできる。
【００３１】
幅調整機構、角度変更機構、移動機構としては、図示はしないが、スクリューロッドを用いたものや油圧シリンダーを用いたものが適用される。
【００３２】
また、板状体４ａ、４ｂには、上記幅調整機構、角度調整機能、移動機構の他に、ベルトコンベア１のベルトに近接、離隔する向きに移動させる隙間調整機構（スクリューロッドを用いたものや油圧シリンダーを用いたもの等）を設けることも可能であり（角度調整を含む）、この隙間調整機構により板状体４ａ、４ｂとベルトコンベア１のベルトとの隙間を適切な値に保持しておくことにより搬送物噛み込みによる摩耗を軽減することができる。とくに、板状体４ａ、４ｂとベルトコンベア１のベルトとの隙間ｔを、図４に示すように、ベルトコンベア１の進行方向に向かって徐々に拡大させることにより、搬送物のスムーズな送給が可能となる。
【００３３】
板状体４ａ、４ｂの外表面（搬送物と接触する面）には、ライナーを取付けておくことも可能であり、これにより搬送物との接触による摩耗が軽減され板状体４ａ、４ｂの長期使用が可能となる。
【００３４】
さらに、図における符号５は、スカート２ｃの側板２ｃ１、２ｃ２に吊下げ保持され、その下端がベルトコンベア１のベルトに接触可能なシール壁である。
【００３５】
このシール壁５は、搬送物が水分を多く含むものや粒径の小さいものを搬送物とする場合にとくに有効となる。というのは、これらの搬送物は、シュート本体２ｂとベルトコンベア１のベルトとの間に形成される隙間を通して吹き出すことがあり、その吹き出し量が多い場合には、スカート２ｃとベルトコンベア１のベルトとの相互間からこぼれ落ちることが懸念されるが、シール壁５を設けておくことによりこのようなこぼれ落ちを回避することができるからである。
【００３６】
シール壁５としては、具体的にはゴム等の弾性部材からなる板状体を適用することができる。
【００３７】
上記の如き構成からなる乗継ぎシュート２においては、搬送物が排出口３を通して払い出される一方、その出側に配置された一対の板状体４ａ、４ｂにてベルトコンベア１のベルトの幅方向の中央部に寄せられることになるので、スカート２ｃの押し広げによる搬送物のこぼれ落ちや吹き出しあるいはベルト端からのこぼれ落ちが回避される。
【００３８】
図５は、本発明にしたがう乗継ぎシュートの他の実施の形態をその断面について示した図である。
【００３９】
この例は、ベルトコンベア１を構成するガイドローラをその幅方向に３分割するとともに、そのうちの両側に位置するガイドローラをそれぞれ傾斜配置にしてベルトの幅方向の端部を幅方向の中央部よりも高くした構造のものである。
【００４０】
かかる構造のベルトコンベア１においてシール壁５を適用するに当たっては、シール壁５とベルトコンベア１のベルトとの間に数ミリ程度の隙間を設けておき、その状態を維持したままシール壁５の下端がベルトの幅方向の中央側に向くよう角度をつけて取り付ければよい。
【産業上の利用可能性】
【００４１】
本発明によれば、ベルトコンベアの側面からのこぼれ落ち、吹き出しによる周辺設備への搬送物の堆積等を回避して環境の改善を図るとともに、搬送物のこぼれ落ちによるロスを軽減することが可能となる。また、本発明によれば、堆積物の清掃において不可欠な設備停止が不要であり、生産性の向上に寄与する。
【符号の説明】
【００４２】
１      ベルトコンベア
２      乗継ぎシュート
２ａ    開放部
２ｂ    シュート本体
２ｃ    スカート
３      排出口
４ａ    板状体
４ｂ    板状体
５      シール壁
Ｆ      フレーム
【図１】
2017043440.tif 000003
【図２】
2017043440.tif 000004
【図３】
2017043440.tif 000005
【図４】
2017043440.tif 000006
【図５】
2017043440.tif 000007